(57)【要約】【課題】入力された映像信号に、表示領域の部分領域を特定するパターン画像の信号を重畳した信号に基づいて画像を表示する表示装置、表示システムおよび表示方法を提供する。【解決手段】入力部１１０は、映像信号と同期信号とが入力される。パターン生成部１１４は、表示領域の部分領域を特定する特定パターンを表示するためのパターン映像信号を、同期信号に基づいて出力する。マルチプレクサー１１８は、映像信号にパターン映像信号を重畳する。表示部は、パターン映像信号を重畳した映像信号と、同期信号とに基づいて表示領域に画像を表示する。【選択図】図５
2010160344.tif 000002
【特許請求の範囲】
【請求項１】
映像信号と同期信号が入力される入力部と、
表示領域の部分領域を特定する特定パターンを表示するためのパターン映像信号を、前記同期信号に基づいて出力するパターン生成部と、
前記映像信号に前記パターン映像信号を重畳する映像信号重畳部と、
前記パターン映像信号を重畳した前記映像信号と、前記同期信号とに基づいて前記表示領域に画像を表示する表示部と、
を備えたことを特徴とする表示装置。
【請求項２】
前記入力部に入力された前記映像信号の信号レベルと、予め定めた閾値とを比較する信号レベル比較部と、
前記映像信号の信号レベルが前記閾値以上であると前記信号レベル比較部が判断した画素が表示する前記パターン映像信号の信号レベルを小さくするレベル調整部と、
を備えたことを特徴とする請求項１に記載の表示装置。
【請求項３】
ある画素が表示する映像信号と、その画素の周囲の画素が表示する映像信号との信号レベルの平均値を算出し、算出した前記信号レベルの平均値と、予め定めた閾値とを比較する算出部
を備え、
前記レベル調整部は、前記信号レベルの平均値が前記閾値より大きいと前記算出部が判断した前記画素が表示する前記パターン映像信号の信号レベルを小さくする
ことを特徴とする請求項２に記載の表示装置。
【請求項４】
前記パターン映像信号の信号レベルの大きさを変化させるタイミングを、前記同期信号に基づいて決定する出力決定部と、
前記出力決定部が決定したタイミングに基づいて、前記パターン映像信号の信号レベルを増幅し、さらに、入力された前記映像信号と前記パターン映像信号とを重畳した際の信号レベルが一定の信号レベルとなるように、当該入力された映像信号の信号レベルを増幅するレベル調整部と、
を備えたことを特徴とする請求項１に記載の表示装置。
【請求項５】
前記パターン生成部は、入力された前記映像信号に基づいて、前記パターン映像信号を出力する
ことを特徴とする請求項１から請求項４のいずれか１項に記載の表示装置。
【請求項６】
映像信号と同期信号が入力される入力部と、表示領域の部分領域を特定するパターン画像を表示するためのパターン映像信号を、前記同期信号に基づいて出力するパターン生成部と、前記映像信号に前記パターン映像信号を重畳する映像信号重畳部と、前記パターン映像信号を重畳した前記映像信号と、前記同期信号とを出力する出力部と、を備えた分割画像合成部と、
前記パターン映像信号を重畳した前記映像信号と、前記同期信号とに基づいて画像を表示する表示装置と、
を備えたことを特徴とする表示システム。
【請求項７】
入力部が、映像信号と同期信号とが入力される入力ステップと、
パターン生成部が、表示領域の部分領域を特定するパターン画像を表示するためのパターン映像信号を、前記同期信号に基づいて出力するパターン生成ステップと、
映像信号重畳部が、前記映像信号に前記パターン映像信号を重畳する映像信号重畳ステップと、
表示部が、前記パターン映像信号を重畳した前記映像信号と、前記同期信号とに基づいて前記表示領域に画像を表示する表示ステップと、
を含むことを特徴とする表示方法。
【発明の詳細な説明】
【技術分野】
【０００１】
本発明は、画像の表示を行う表示装置、表示システムおよび表示方法に関する。
【背景技術】
【０００２】
プレゼンテーションなどにおいて、一般的に、発表者や質問者は、プロジェクタや大型ディスプレイなどに画像を表示し、レーザーポインターを用いて画面上を指し示しながら説明や質問などを行う。
【０００３】
しかし、プレゼンテーションへの参加者が多く質問者が複数人いる場合、１つのレーザーポインターを質問者が変わる度に質問者の手元へ回すために時間を費やしてしまうという問題がある。そこで、複数のレーザーポインターを用意して参加者に予め配布することで、質問者の手元に回すための時間を削減することができる。このように複数のレーザーポインターがある場合、複数の質問者がそれぞれレーザーポインターを用いて同時に１つの画面を指し示すことが考えられるが、どの発表者がどの位置を指し示しているかを区別するために、各レーザーポインターが指し示したポインタを区別して画面上に表示する方法が知られている（例えば、特許文献１および特許文献２参照）。
【先行技術文献】
【特許文献】
【０００４】
【特許文献１】特開２００２−２４４８１３号公報
【０００５】
【特許文献２】特開２００５−２６７５００号公報
【発明の概要】
【発明が解決しようとする課題】
【０００６】
しかしながら、プレゼンテーションへの参加者が十数人程度以上の場合には参加者全員がポインタを持つのは現実的ではない。また、参加者が多い場合、質問者とディスプレイとの距離がおのずと離れるために、レーザーポインターを持つ手のわずかな振れがポインタの振れに大きく影響してしまい、レーザーポインターで指し示した部位が特定しにくくなる場合があった。
【０００７】
また、レーザーポインターなどの何らかのポインティングツールを使用したことが無い人が参加する講演会などの場合には、参加者にポインティングツールを用いてもらうこと自体が現実的ではない。
【０００８】
また、講堂のような大会場で舞台上の大きなスクリーンにプロジェクタで表示する場合、舞台上にいる発表者はスクリーンを見上げる角度が急峻になるためにレーザーポインターでの指示を行いにくい。そのため、発表者は、演台にノート型コンピュータを置いてマウスでカーソルを操作し、プロジェクタで表示されたカーソルを用いて指し示す部位を特定する方法を用いることも多い。しかしながら、発表者は、コンピュータの画面を見ながらの操作となるために、参加者と同じ画面を見ているという共有感を得にくくなるといった問題がある。
【０００９】
本発明は上記の点に鑑みてなされたものであり、発表者や質問者が画像の一部を指し示す場合において、マウスカーソルやレーザーポインターを使うことなく注目すべき点を指し示すことが可能な画像を表示する表示装置、表示システムおよび表示方法を提供することを目的とする。
【課題を解決するための手段】
【００１０】
本発明は、映像信号と同期信号が入力される入力部と、表示領域の部分領域を特定する特定パターンを表示するためのパターン映像信号を、前記同期信号に基づいて出力するパターン生成部と、前記映像信号に前記パターン映像信号を重畳する映像信号重畳部と、前記パターン映像信号を重畳した前記映像信号と、前記同期信号とに基づいて前記表示領域に画像を表示する表示部と、を備えたことを特徴とする表示装置である。
【００１１】
これにより、入力された映像信号に、表示領域の部分領域を特定する特定パターンの信号を重畳した信号に基づいて画像を表示するため、発表者が画像の一部を指し示す場合においてマウスカーソルやレーザーポインターを使うことなく注目すべき点を指し示すことができる。
【００１２】
また、本発明は、前記入力部に入力された前記映像信号の信号レベルと、予め定めた閾値とを比較する信号レベル比較部と、前記映像信号の信号レベルが前記閾値以上であると前記信号レベル比較部が判断した画素が表示する前記パターン映像信号の信号レベルを小さくするレベル調整部と、を備えたことを特徴とする表示装置である。
【００１３】
入力された映像信号の信号レベルが大きい、すなわち明るい色を表示する映像信号の場合、レベル調整部はパターン映像信号の信号レベルを小さくする。表示部は、映像信号に基づいて明るい色の画像を表示する場合、特定パターンを信号レベルの小さい色（例えば、黒色）で表示する。これにより、特定パターンを表示する色と、入力された映像信号に基づいて表示する画像の色とをはっきりと区別することができるため、表示部が表示する画像を見る者は、特定パターンを認識しやすくなる。
【００１４】
また、本発明は、ある画素が表示する映像信号と、その画素の周囲の画素が表示する映像信号との信号レベルの平均値を算出し、算出した前記信号レベルの平均値と、予め定めた閾値とを比較する算出部を備え、前記レベル調整部は、前記信号レベルの平均値が前記閾値より大きいと前記算出部が判断した前記画素が表示する前記パターン映像信号の信号レベルを小さくすることを特徴とする表示装置である。
【００１５】
入力された映像信号とその映像信号の周囲の信号レベルが閾値より大きい場合、レベル調整部はパターン映像信号の信号レベルを小さくする。これにより、表示部は、特定パターンを表示する周囲の画像が明るい場合、特定パターンを信号レベルの小さい色で表示する。よって、特定パターンを表示する色と、特定パターンの周囲の色とをはっきりと区別することができるため、表示部が表示する画像を見る者は、特定パターンを認識しやすくなる。
【００１６】
また、本発明は、前記パターン映像信号の信号レベルの大きさを変化させるタイミングを、前記同期信号に基づいて決定する出力決定部（信号発生部）と、前記出力決定部が決定したタイミングに基づいて、前記パターン映像信号の信号レベルを増幅し、さらに、入力された前記映像信号と前記パターン映像信号とを重畳した際の信号レベルが一定の信号レベルとなるように、当該入力された映像信号の信号レベルを増幅するレベル調整部と、を備えたことを特徴とする表示装置である。
【００１７】
パターン映像信号の信号レベルと、映像信号の信号レベルとを増幅することで、特定パターンの濃度が濃く、入力画像の濃度が薄い部分を含んだ画像を表示するための重畳映像信号と同期信号とを出力することができる。これにより、表示領域の一部のみに特定パターンを重畳することができる。
【００１８】
また、本発明の表示装置において、前記パターン生成部は、入力された前記映像信号に基づいて、前記パターン映像信号を出力することを特徴とする。
【００１９】
これにより、パターン生成部は、入力された映像信号に基づいて、パターン映像信号を出力するため、入力された映像信号に基づいて表示される画像に、より合った特定パターンを表示することができる。
【００２０】
また、本発明は、映像信号と同期信号が入力される入力部と、表示領域の部分領域を特定するパターン画像を表示するためのパターン映像信号を、前記同期信号に基づいて出力するパターン生成部と、前記映像信号に前記パターン映像信号を重畳する映像信号重畳部と、前記パターン映像信号を重畳した前記映像信号と、前記同期信号とを出力する出力部と、を備えた分割画像合成部と、前記パターン映像信号を重畳した前記映像信号と、前記同期信号とに基づいて画像を表示する表示装置と、を備えたことを特徴とする表示システムである。
【００２１】
また、本発明は、入力部が、映像信号と同期信号とが入力される入力ステップと、パターン生成部が、表示領域の部分領域を特定するパターン画像を表示するためのパターン映像信号を、前記同期信号に基づいて出力するパターン生成ステップと、映像信号重畳部が、前記映像信号に前記パターン映像信号を重畳する映像信号重畳ステップと、表示部が、前記パターン映像信号を重畳した前記映像信号と、前記同期信号とに基づいて前記表示領域に画像を表示する表示ステップと、を含むことを特徴とする表示方法である。
【図面の簡単な説明】
【００２２】
【図１】本発明の第１の実施形態における入力画像の例を示した図である。
【図２】第１の実施形態における特定パターンの一例を示した図である。
【図３】第１の実施形態における表示画像の例を示した図である。
【図４】第１の実施形態における表示装置の構成を示したブロック図である。
【図５】第１の実施形態における分割画像合成部の構成を示したブロック図である。
【図６】第１の実施形態におけるパターン生成部の構成を示したブロック図である。
【図７】第１の実施形態における出力の関連を示した図である。
【図８】第１の実施形態における特定パターンの一例を示した図である。
【図９】第１の実施形態における表示システムの構成を示したブロック図である。
【図１０】第２の実施形態における表示画像の例を示した図である。
【図１１】第２の実施形態における表示装置の構成を示したブロック図である。
【図１２】第２の実施形態における分割画像合成部の構成を示したブロック図である。
【図１３】第２の実施形態におけるパラメーターｋと垂直同期信号Ｖｓとの関係を示した図である。
【図１４】第２の実施形態におけるパラメーターｋと水平同期信号Ｈｓとの関係を示した図である。
【図１５】第２の実施形態における表示画像の例を示した図である。
【図１６】第３の実施形態における表示装置の構成を示したブロック図である。
【図１７】第３の実施形態における分割画像合成部の構成を示したブロック図である。
【図１８】第３の実施形態における遅延回路の構成を示したブロック図である。
【図１９】第３の実施形態におけるデジタル映像信号に基づいた映像を表示する画素を示した図である。
【図２０】第３の実施形態における演算部の構成を示したブロック図である。
【図２１】第３の実施形態において調整パラメーターを生成する手順を示したフローチャートである。
【図２２】第３の実施形態における信号の入出力のタイミングを示したタイミングチャートである。
【図２３】第４の実施形態における入力画像に特定パターンを重畳した画像である。
【図２４】第４の実施形態における分割画像合成部の構成を示したブロック図である。
【図２５】第４の実施形態においてパターン映像信号を出力する手順を示したフローチャートである。
【発明を実施するための形態】
【００２３】
（第１の実施形態）
以下、図面を参照しながら本発明の第１の実施形態について説明する。本実施形態における表示装置は、映像信号と同期信号とが入力される。続いて、表示装置は、入力された映像信号に、表示装置が画像を表示する領域を複数に分割した領域を特定するパターンの映像信号を重畳し、重畳した映像信号に基づいた画像を表示する。
【００２４】
以下、表示装置が画像を表示する領域を表示領域と記述する。また、表示領域を複数に分割した領域を分割領域と記述する。また、分割領域を特定するパターンを特定パターンと記述する。また、表示装置に入力された映像信号と同期信号とに基づいて表示される画像を入力画像と記述する。また、表示装置が表示する画像を表示画像と記述する。
【００２５】
図１は入力画像の例を示した図である。図示する例では、画像左側に文字１０１が表示されており、画像右側に図形１０２が表示されている。
【００２６】
図２は特定パターンの一例を示した図である。図示する特定パターンは、９つの分割領域を特定する。この特定パターンは、表示領域を垂直方向に３分割する垂直直線２０１１，２０１２と、水平方向に３分割する水平直線２０１３，２０１４と、これらの直線で分割された分割領域２０１〜２０９を一意に特定する文字「１」〜「９」とを含む。例えば、上段左の分割領域２０１を一意に特定する文字は「１」である。また、上段中央の分割領域２０２を一意に特定する文字は「２」である。他の分割領域２０３〜２０９を特定する文字については図示するとおりである。
【００２７】
図３は表示画像の例を示した図である。図示する画像は図１に示した入力画像に、図２で示した特定パターンを重畳した画像である。発表者は、この画像を参照しながら説明を行うことで、例えば図１に示した画像の下段中央部分の垂直直線と水平直線の交点付近の領域１０３を指し示す場合、「８」を指定することでこの領域をマウスカーソルやレーザーポインターを使うことなく指し示すことができる。
【００２８】
次に、表示装置の構成について説明する。図４は、本実施形態における表示装置の構成を示したブロック図である。表示装置１は、映像信号と同期信号が入力され、この信号に特定パターンの信号を重畳し、重畳した信号に基づいた表示画像を表示する装置である。本実施形態では表示装置の一例として液晶ディスプレイを用いて説明する。この図に示した表示装置１は、分割画像合成部１１と、映像信号共通処理部１２と、駆動部１３と、液晶パネル部１４とを備える。
【００２９】
分割画像合成部１１は映像信号と同期信号とが入力され、入力された映像信号に特定パターンの信号を重畳した重畳映像信号を出力する。また、分割画像合成部１１は入力された同期信号を出力する。分割画像合成部１１の詳細な動作については後述する。
【００３０】
映像信号と重畳映像信号は、液晶パネル部１４の表示領域が備える各画素が表示する色を示す信号である。一つの映像信号または一つの重畳映像信号で１つの画素の色を示す。分割画像合成部１１に入力される同期信号は、映像信号と重畳信号と同期する。
【００３１】
映像信号共通処理部１２は、分割画像合成部１１が出力した重畳映像信号と同期信号とが入力され、重畳映像信号と同期信号とに基づいて描画データを出力する。この描画データは、３原色を示す色成分ごとに生成され、同期信号に同期した信号として出力される。
【００３２】
駆動部１３は、映像信号共通処理部１２が出力した描画データが入力され、液晶パネル部１４が描画データに応じた表示画像を表示するように、液晶パネル部１４を駆動する。駆動部１３により液晶パネル部１４は図示せぬ表示領域に表示画像を表示する。
【００３３】
次に、分割画像合成部１１の構成について図５を参照して説明する。図５は本実施形態における分割画像合成部１１の構成を示したブロック図である。分割画像合成部１１は、入力部１１０と、輝度信号変換部１１１と、輝度信号二値化部１１２と、タイミング生成部１１３と、パターン生成部１１４と、パターン映像信号二値化部１１５と、排他的論理和演算回路１１６と、レベル調整部１１７と、マルチプレクサー１１８と、出力部１１９とを備える。
【００３４】
入力部１１０は映像信号と同期信号とが入力される。映像信号は赤（Ｒ）と緑（Ｇ）と青（Ｂ）の３つの信号を含む。同期信号は水平同期信号Ｈｓと垂直同期信号Ｖｓとを含む。また、入力部１１０は、入力された映像信号を輝度信号変換部１１１とマルチプレクサー１１８とに対して出力する。また、入力部１１０は、入力された同期信号をタイミング生成部１１３と出力部１１９とに対して出力する。
【００３５】
輝度信号変換部１１１は、入力部１１０が出力した映像信号が入力され、この映像信号を輝度信号（Ｙ）に変換して出力する。映像信号を輝度信号に変換する方法は既知であり、例えば標準放送で規定されているＹ＝０．２９９×Ｒ＋０．５８７×Ｇ＋０．１１４×Ｂを用いて変換する。
【００３６】
輝度信号二値化部１１２は、輝度信号変換部１１１が出力した輝度信号が入力される、予め定めた閾値（スレッシュホールド）と輝度信号の大きさとを比較した結果に基づいて「Ｌ」または「Ｈ」の信号を出力する。例えば、映像信号の最大振幅が１Ｖｐ−ｐであり黒レベルが直流の０Ｖである場合は閾値を０．５Ｖとする。この場合、輝度信号二値化部１１２は、入力された輝度信号が０．５Ｖ以上であれば「Ｈ」の信号を出力し、入力された輝度信号が０．５Ｖ未満であれば「Ｌ」の信号を出力する。
【００３７】
タイミング生成部１１３は、入力部１１０が出力した同期信号が入力される、映像信号に同期したタイミング信号を生成し、この信号を出力する。例えば、タイミング生成部１１３は位相同期回路（ＰＬＬ（Ｐｈａｓｅ−Ｌｏｃｋｅｄ  Ｌｏｏｐ）回路）を備え、この回路によりタイミング信号を生成して出力する。タイミング信号は、液晶パネル部１４の表示領域に含まれる特定の画素が表示する映像信号が入力されたタイミングを示す信号である。例えば、タイミング生成部１１３は、表示領域に含まれる画素のうち左上の画素が表示する映像信号が入力されたタイミングでタイミング信号を出力する。なお、各画素が表示する映像信号は予め定められた順および間隔で入力されるため、各画素が表示する映像信号が入力されるタイミングは、左上の画素が表示する映像信号が入力されるタイミングにより一意に決まる。
【００３８】
パターン生成部１１４は特定パターンを生成する。例えば、図６に示すとおり、パターン生成部１１４はパターンデータ生成部１１４１と、キャラクタデータ生成部１１４２と、合成部１１４３とを備える。パターンデータ生成部１１４１は線画のパターンデータを生成し出力する。キャラクタデータ生成部１１４２は文字のパターンデータを生成し出力する。合成部１１４３は、線画のパターンデータと文字のパターンデータとを合成して特定パターンデータを生成する。なお、パターン生成部１１４は、図示せぬ記憶部を備え、予め特定パターンデータを記憶するようにしてもよい。
【００３９】
以下、図５の説明に戻る。パターン生成部１１４は、タイミング生成部１１３が出力したタイミング信号が入力される。続いて、パターン生成部１１４は、タイミング信号と特定パターンデータとに基づいて、液晶パネル部１４が有する画素のうち、特定パターンを表示させる画素が表示する映像信号の入力を分割画像合成部１１が受け付けたタイミングで白色の映像信号（用いる映像信号のうち、振幅が最大の映像信号）を出力し、それ以外のタイミングでは黒色の映像信号（振幅が０の映像信号）を出力する。すなわち、パターン生成部１１４は特定パターンを白色の映像信号で出力する。なお、パターン生成部１１４が出力する白色または黒色の映像信号をパターン映像信号とする。
【００４０】
例えば、図３に示した画像を表示装置１が表示する場合、垂直直線２０１１，２０１２と、水平方向に３分割する水平直線２０１３，２０１４と、文字「１」〜「９」とを表示させる画素の映像信号を分割画像合成部１１が受け付けたタイミングで、パターン生成部１１４は白色の映像信号をパターン映像信号として出力し、それ以外のタイミングでは黒色の映像信号をパターン映像信号として出力する。
【００４１】
パターン映像信号二値化部１１５は、パターン生成部１１４が出力したパターン映像信号が入力され、予め定めた閾値（スレッシュホールド）とパターン映像信号の大きさとを比較した結果に基づいて「Ｌ」または「Ｈ」の信号を出力する。例えば、パターン信号の最大振幅が１Ｖｐ−ｐであり黒レベルが直流の０Ｖである場合は閾値を０．５Ｖとする。この場合、パターン映像信号二値化部１１５は、入力されたパターン映像信号が０．５Ｖ以上、すなわち白色の映像信号であれば「Ｈ」の信号を出力し、入力された輝度信号が０．５Ｖ未満、すなわち黒色の映像信号であれば「Ｌ」の信号を出力する。
【００４２】
排他的論理和演算回路１１６は、輝度信号二値化部１１２が出力した「Ｈ」または「Ｌ」の信号と、パターン映像信号二値化部１１５が出力した「Ｈ」または「Ｌ」の信号とが入力され、この信号の排他的論理和を示す「Ｈ」または「Ｌ」の信号を出力する。
【００４３】
具体的には、パターン映像信号二値化部１１５が出力した信号が「Ｈ」である場合には、輝度信号二値化部１１２が出力した信号が「Ｈ」であれば排他的論理和演算回路１１６は「Ｌ」を出力し、輝度信号二値化部１１２が出力した信号が「Ｌ」であれば排他的論理和演算回路１１６は「Ｈ」を出力する。また、パターン映像信号二値化部１１５が出力した信号が「Ｌ」である場合には、輝度信号二値化部１１２が出力した信号が「Ｈ」であれば排他的論理和演算回路１１６は「Ｈ」を出力し、パターン映像信号二値化部１１５が出力した信号が「Ｌ」である場合、排他的論理和演算回路１１６は「Ｌ」を出力する。
【００４４】
すなわち、ある画素が特定パターンを表示する場合には、この画素が表示する映像信号の輝度が高ければこの排他的論理和演算回路１１６は「Ｌ」の信号を出力し、この画素が表示する映像信号の輝度が低ければ排他的論理和演算回路１１６は「Ｈ」の信号を出力する。また、ある画素が特定パターンを表示しない場合は、この画素が表示する映像信号の輝度が高ければ排他的論理和演算回路１１６は「Ｈ」の信号を出力し、この画素が表示する映像信号の輝度が低ければ排他的論理和演算回路１１６は「Ｌ」の信号を出力する。
【００４５】
レベル調整部１１７は、排他的論理和演算回路１１６が出力した「Ｈ」または「Ｌ」の信号が入力される。続いて、レベル調整部１１７は、「Ｈ」の信号が入力される場合は「白」を表す映像信号を出力し、「Ｌ」の信号が入力された場合は「黒」を表す映像信号を出力する。
【００４６】
マルチプレクサー１１８は、入力部１１０が出力した映像信号と、レベル調整部１１７が出力した映像信号と、パターン映像信号二値化部１１５が出力した「Ｈ」または「Ｌ」の信号が入力される。続いて、マルチプレクサー１１８は、パターン映像信号二値化部１１５が出力した信号が「Ｌ」の場合は入力部１１０が出力した映像信号を重畳映像信号として出力し、パターン映像信号二値化部１１５が出力した信号が「Ｈ」の場合はレベル調整部１１７が出力した映像信号を重畳映像信号として出力する。すなわち、マルチプレクサー１１８は、パターン映像信号二値化部１１５の出力を選択制御信号として用い、入力部１１０が出力した映像信号とレベル調整部１１７が出力した映像信号のいずれかを重畳映像信号として出力する。
【００４７】
図７は、輝度信号二値化部１１２の出力と、パターン映像信号二値化部１１５の出力と、マルチプレクサー１１８の出力との関連を示した図である。パターン映像信号二値化部１１５の出力が「Ｌ」である場合は、輝度信号二値化部１１２が出力する信号レベル（「Ｌ」または「Ｈ」）に関係なく、マルチプレクサー１１８は入力部１１０が出力した映像信号を出力する。パターン映像信号二値化部１１５の出力が「Ｈ」であり、輝度信号二値化部１１２の出力が「Ｌ」である場合は、マルチプレクサー１１８は、レベル調整部１１７が出力した「白」を表す映像信号を出力する。パターン映像信号二値化部１１５の出力が「Ｈ」であり、輝度信号二値化部１１２の出力が「Ｈ」である場合は、マルチプレクサー１１８は、レベル調整部１１７が出力した「黒」を表す映像信号を出力する。
【００４８】
すなわち、マルチプレクサー１１８は、特定パターンを表示する画素のうち、輝度レベルが高い、すなわち明るい色を表示する映像信号が入力された画素に対しては、レベル調整部１１７が出力した「黒」を表す映像信号を重畳映像信号として出力し、輝度レベルが低い、すなわち暗い色を表示する映像信号が入力された画素に対しては、レベル調整部１１７が出力した「白」を表す映像信号を重畳映像信号として出力し、特定パターンを表示しない画素に対しては、入力部１１０が出力した映像信号を重畳映像信号として出力する。
【００４９】
これにより、マルチプレクサー１１８は、図３に示した画像で、かつ、特定パターンを表示する色と、入力された映像信号に基づいて表示する画像の色とをはっきりと区別することができる画像を表示するための重畳映像信号を出力することができる。
【００５０】
出力部１１９はマルチプレクサー１１８が出力した重畳映像信号と、入力部１１０が出力した同期信号とを映像信号共通処理部１２に対して出力する。
【００５１】
このように、分割画像合成部１１が備える各部の動作により、分割画像合成部１１は、図３に示した画像を表示するための重畳映像信号と同期信号とを出力することができる。これにより、表示装置１は、図３に示した画像を表示することができる。
【００５２】
また、表示装置１は、輝度レベルが高い、すなわち明るい色を表示する映像信号が入力された画素が表示する特定パターンを黒色で表示し、輝度レベルが低い、すなわち暗い色を表示する映像信号が入力された画素が表示する特定パターンを白色で表示する。これにより、特定パターンを表示する色と、入力された映像信号に基づいて表示する画像の色とをはっきりと区別することができるため、表示装置１が表示する画像を見る者は、特定パターンをより認識することができる。
【００５３】
上述したとおり、表示装置１は図３に示したような画像を表示することができるため、表示装置１が表示した画像を参照しながら講演者に質問を行う際、質問者は、特定したい部分について重畳された特定パターンで示された文字で指示することができる。これにより、質問者と講演者の意思の疎通がはかりやすくなる。また、表示装置１が多数のスライドを並べて表示した場合においても、特定パターンで示された文字で特定のスライドを指示することができる。また、表示装置１に工業図面を表示して特定部分を指示したりするような場合も、同様の効果を得ることができる。
【００５４】
なお、図２に示した特定パターンを例として説明したが、特定パターンはこれに限らない。例えば、図８に示すような特定パターンを用いてもよい。図示する特定パターンは、１６の分割領域を特定する。この特定パターンは、表示領域を垂直方向に４分割する垂直直線８０１１〜８０１３と、水平方向に４分割する水平直線８０１４〜８０１６と、これらの直線で分割された分割領域を一意に特定する文字「１」〜「１６」とを含む。例えば、上段左の分割領域８０１を一意に特定する文字は「１」である。また、２段目左の分割領域８０５を一意に特定する文字は「５」である。他の分割領域を特定する文字については図示するとおりである。また、外部からの指示により、パターン生成部１１４が任意の特定パターンを生成するようにしてもよい。
【００５５】
また、特定パターンを画像に重畳することについて説明してきたが、パターン生成部１１４の出力を常に「Ｌ」となるように制御するなどして、表示装置１は入力された映像信号に基づいた画像のみを表示することもできる。例えば、講演者が説明している場合には、表示装置１は、入力された映像信号に基づいた画像のみを表示するようにする。また、質問者が質問を行う場合には、表示装置１は、特定パターンを重畳した画像を表示するようにしてもよい。これにより、さらに有効に表示装置１を使用することができる。
【００５６】
また、表示装置１の例として液晶ディスプレイを用いて説明したが、表示装置１は、プロジェクタなど、映像信号と同期信号とが入力されて画像を表示する装置でもよい。また、表示装置１内に分割画像合成部１１を備えた構成について説明したが、図９に示すように、表示装置１の外部に分割画像合成部１１を備えた表示システムとしてもよい。図９は表示システムの構成を示したブロック図である。図示する例では、表示システムは分割画像合成部９１と、表示装置９２とを備えている。分割画像合成部９１の構成は分割画像合成部１１と同様である。表示装置９２は、映像信号共通処理部１２と、駆動部１３と、液晶パネル部１４とを備えており、既存の表示装置と同様の構成である。この構成とすることで、分割画像合成部９１は、入力画像に特定パターンを重畳した重畳映像信号を生成し、この重畳映像信号に基づいて、表示装置９２は入力画像に特定パターンを重畳した表示画像を表示することができる。
【００５７】
（第２の実施形態）
以下、図面を参照しながら本発明の第２の実施形態について説明する。本実施形態における表示装置は、第１の実施形態と同様に、入力された映像信号に、特定パターンの映像信号を重畳し、重畳映像信号に基づいた画像を表示する。第１の実施形態と異なる点として、本実施形態の表示装置は、特定パターンの表示濃度と入力画像の表示濃度を、表示画像の部分毎に変更することができる。
【００５８】
図１０は、特定パターンの表示濃度と入力画像の表示濃度とを部分毎に変更して表示した表示画像の例を示した図である。図示する表示画像は図１に示した入力画像に、図２で示した特定パターンを重畳した画像である。図示する例では、表示画像上部３分の２の部分１００１では、上部から下部にかけて入力画像の濃度は徐々に濃く表示され、特定パターンの濃度は徐々に薄く表示される。また、表示画像下部３分の１の部分１００２では、入力画像の濃度は濃い状態で一定であり、特定パターンは表示されない。
【００５９】
次に、表示装置の構成について説明する。図１１は本実施形態における表示装置の構成を示したブロック図である。表示装置２は、分割画像合成部２１と、映像信号共通処理部１２と、駆動部１３と、液晶パネル部１４とを備える。
【００６０】
分割画像合成部２１は映像信号と同期信号とが入力される。続いて、特定パターンの映像信号を生成し、入力された映像信号と特定パターンの映像信号の信号レベルの調整を行う。続いて、信号レベルの調整を行った映像信号に信号レベルの調整を行った特定パターンの映像信号を重畳した重畳映像信号と、入力された同期信号とを出力する。映像信号共通処理部１２と、駆動部１３と、液晶パネル部１４の動作は、第１の実施形態の各部の動作と同様である。表示装置２が備える各部の動作により、表示装置２は、分割画像合成部２１が出力した重畳映像信号と同期信号とに基づいて表示画像を表示する。
【００６１】
次に、分割画像合成部２１の構成について図１２を参照して説明する。図１２は本実施形態における分割画像合成部２１の構成を示したブロック図である。分割画像合成部２１は、入力部２１０と、タイミング生成部２１１と、パターン生成部２１２と、コントローラー２１３と、信号発生部２１４と、レベル調整部２１５と、ゲイン可変増幅器２１６，２１７と、混合回路２１８と、出力部２１９とを備える。
【００６２】
入力部２１０は映像信号と同期信号とが入力される。また、入力部２１０は、入力された映像信号をゲイン可変増幅器２１６に対して出力する。また、入力部２１０は、入力された同期信号をタイミング生成部２１１と出力部２１９とに対して出力する。
【００６３】
タイミング生成部２１１の動作は、第１の実施形態のタイミング生成部１１３の動作と同様である。タイミング生成部２１１は、生成したタイミング信号をパターン生成部２１２と信号発生部２１４とに対して出力する。
【００６４】
パターン生成部２１２の動作は、第１の実施形態のパターン生成部１１４の動作と同様である。パターン生成部２１２は、生成したパターン映像信号をゲイン可変増幅器２１７に対して出力する。
【００６５】
コントローラー２１３は、表示装置２が表示する特定パターンの表示濃度と入力画像の表示濃度を指定する濃度指定信号を出力する。例えば、コントローラー２１３は図示せぬ入力部を備えており、外部から表示濃度を指定する情報が入力されてもよい。
【００６６】
信号発生部２１４は、タイミング生成部２１１が出力したタイミング信号と、コントローラー２１３が出力した表示濃度を指定する濃度指定信号とが入力される。続いて、信号発生部２１４は、濃度指定信号とタイミング信号とに基づいて、入力画像の表示濃度を指定するパラメーターｋの大きさと、出力するタイミングとを決定する。信号発生部２１４がパラメーターｋを出力するタイミングを調整することで、画素毎にパラメーターｋを指定することができる。
【００６７】
なお、パラメーターｋは０以上１以下の値である。また、パラメーターｋの値が大きいほど入力画像の表示濃度は濃くなり、パラメーターｋの値が小さいほど入力画像の表示濃度は薄くなり、パラメーターｋが０の場合は入力画像の表示は消えるように、後述するゲイン可変増幅器２１６は入力部２１０から入力された映像信号を増幅する。
【００６８】
また、入力画像の表示濃度と特定パターンの表示濃度との和を一定濃度以下とするために、特定パターンの表示濃度を指定するパラメーターを（１−ｋ）とする。これにより、パラメーターｋの値が大きいほど特定パターンの表示濃度は薄く、パラメーターｋの値が小さいほど特定パターンの表示濃度は濃くなり、パラメーターｋが１の場合は特定パターンの表示は消えるように、後述するゲイン可変増幅器２１７はパターン生成部２１２から入力されたパターン映像信号を増幅する。パラメーターｋの大きさおよび出力タイミングと、入力画像の表示濃度および特定パターンの表示濃度との具体例については後述する。
【００６９】
レベル調整部２１５は、信号発生部２１４が出力したパラメーターｋが入力され、特定パターンの表示濃度を指定するパラメーター（１−ｋ）を生成する。続いて、レベル調整部２１５は、パラメーターｋをゲイン可変増幅器２１６に出力し、パラメータ（１−ｋ）をゲイン可変増幅器２１７に出力する。
【００７０】
ゲイン可変増幅器２１６は、入力部２１０が出力した映像信号と、信号発生部２１４が出力したパラメーターｋとが入力される。続いて、ゲイン可変増幅器２１６は、映像信号の振幅をパラメーターｋに基づいて増幅して出力する。例えば、ゲイン可変増幅器２１７は、映像信号の振幅をｋ倍に増幅して出力する。
【００７１】
具体的には、パラメーターｋが０．１の場合は映像信号の振幅を０．１倍して出力する。また、パラメーターｋが０の場合は映像信号の振幅を０倍、すなわち０に増幅して出力する。また、パラメーターｋが１の場合は映像信号の振幅を１倍、すなわち入力された映像信号をそのまま出力する。これにより、映像信号の表示濃度を変更することができる。
【００７２】
ゲイン可変増幅器２１７は、パターン生成部２１２が出力したパターン映像信号と、信号発生部２１４が出力したパラメーター（１−ｋ）とが入力される。続いて、ゲイン可変増幅器２１７は、パターン映像信号の振幅をパラメーター（１−ｋ）に基づいて増幅して出力する。例えば、ゲイン可変増幅器２１７は、パターン映像信号の振幅を（１−ｋ）倍にして出力する。具体的には、パラメーター（１−ｋ）が０．１の場合はパターン映像信号の振幅を０．１倍して出力する。また、パラメーター（１−ｋ）が０の場合はパターン映像信号の振幅を０倍、すなわち０に増幅して出力する。また、パラメーター（１−ｋ）が１の場合はパターン映像信号の振幅を１倍、すなわち入力されたパターン映像信号をそのまま出力する。これにより、特定パターンの表示濃度を変更することができる。
【００７３】
混合回路２１８は、ゲイン可変増幅器２１６が出力した映像信号に、ゲイン可変増幅器２１７が出力したパターン映像信号を重畳した信号である重畳映像信号を生成して出力する。出力部２１９は、混合回路２１８が出力した重畳映像信号と、入力部２１０が出力した同期信号とを映像信号共通処理部１２に対して出力する。これにより、表示装置２は、特定パターンの表示濃度と入力画像の表示濃度を、表示画像の部分毎に変更することができる。
【００７４】
次に、信号発生部２１４が出力するパラメーターｋの大きさとタイミングとの具体例について説明する。初めに、垂直同期信号Ｖｓに基づいて、信号発生部２１４がパラメーターｋの値と出力するタイミングとを決定する具体例について説明する。図１３は信号発生部２１４が出力するパラメーターｋの大きさと垂直同期信号Ｖｓとの関係を示した図である。図示する例では、垂直同期信号Ｖｓの大きさと時刻との関係を示したグラフ１３０１と、信号発生部２１４が出力するパラメーターｋの大きさと、パラメーターｋを出力した時刻との関係を示したグラフ１３０２〜１３０４とを示している。また、時刻Ａから時刻Ｉは時刻を示しており、時刻Ａから時刻Ｉの順に時刻が進む。時刻Ａが一番過去の時刻である。
【００７５】
本実施形態の表示装置２は順次走査方式で画像を表示する。垂直同期信号Ｖｓは、一つの入力画像の区切りを示す信号である。具体的には、グラフ１３０１には垂直同期信号Ｖｓの大きさが０から１に変化する時刻Ａと、垂直同期信号Ｖｓの大きさが１から０に変化する時刻Ｉとが示されている。入力画像の走査線の表示の開始は、時刻Ａから特定の時間後に開始し、時刻Ｉよりも特定の時間前に終了する。また、各走査線が表示される順と時間とは入力画像の種類によって規定されているため、時刻Ａが分かれば各走査線が表示される時刻を特定することができる。
【００７６】
グラフ１３０２では、信号発生部２１４は、時刻Ａから時刻Ｇにかけて、パラメーターｋを０．２から１まで時刻に比例して大きくしながら出力している。時刻Ａから時刻Ｇまでに走査線が表示する領域としては、表示領域のうち上部３分の２の領域である。また、信号発生部２１４は、時刻Ｇから時刻Ｉまで、パラメーターｋを１として出力している。時刻Ｇから時刻Ｉまでに走査線が表示する領域としては、表示領域のうち下部３分の１の領域である。グラフ１３０２で示したように信号発生部２１４がパラメーターｋを出力した場合、表示装置２が表示する表示画像は前述した図１０の画像となる。
【００７７】
グラフ１３０３とグラフ１３０４は、グラフ１３０２に示した信号発生部２１４が出力するパラメーターｋの位相を変化させた例を示している。グラフ１３０３では、信号発生部２１４は、時刻Ａから時刻Ｃまで、パラメーターｋを１として出力している。また、時刻Ｃから時刻Ｄにかけて、パラメーターｋを１から０．２まで時刻に比例して小さくしながら出力している。また、時刻Ｄから時刻Ｈにかけて、パラメーターｋを０．２から１まで時刻に比例して大きくしながら出力している。また、時刻Ｈから時刻Ｉまで、パラメーターｋを１として出力している。
【００７８】
グラフ１３０４では、信号発生部２１４は、時刻Ａから時刻Ｂにかけて、パラメーターｋを０．９から１まで時刻に比例して大きくしながら出力している。また、時刻Ｂから時刻Ｅにかけて、パラメーターｋを１として出力している。また、時刻Ｅから時刻Ｆにかけて、パラメーターｋを１から０．２まで時刻に比例して小さくしながら出力している。また、時刻Ｆから時刻Ｉにかけて、パラメーターｋを０．２から０．９まで時刻に比例して大きくしながら出力している。
【００７９】
例えば、信号発生部２１４は、グラフ１３０２に示した状態から、グラフ１３０３に示した状態とグラフ１３０４に示した状態とを経由し、再びグラフ１３０２に示した状態となるようにパラメーターｋの位相を数秒程度で一巡するように変化させる。この場合、表示装置２の液晶パネル部１４は、特定パターンの濃度が濃く、入力画像の濃度が薄い部分を、表示領域の上部から下部にかけてゆっくりと移動することを繰り返すスクロール表示を行う。このような動作は、信号発生部２１４がパラメーターｋを出力するタイミングおよびパラメーターｋの値を変化させることにより行うことができる。
【００８０】
次に、水平同期信号Ｈｓに基づいて、信号発生部２１４がパラメーターｋの値と出力するタイミングとを決定する具体例について説明する。図１４は信号発生部２１４が出力するパラメーターｋの大きさと水平同期信号Ｈｓとの関係を示した図である。図示する例では、水平同期信号Ｈｓの大きさと時刻との関係を示したグラフ１４０１と、信号発生部２１４が出力するパラメーターｋの大きさと、パラメーターｋを出力した時刻との関係を示したグラフ１４０２〜１４０４とを示している。また、時刻Ｊから時刻Ｑは時刻を示しており、時刻Ｊから時刻Ｑの順に時刻が進む。時刻Ｊが一番過去の時刻である。
【００８１】
本実施形態の表示装置２は順次走査方式で画像を表示する。水平同期信号は、一本の走査線の区切りを示す信号である。具体的には、グラフ１４０１には水平同期信号の大きさが０から１に変化する時刻Ｊと、水平同期信号Ｈｓの大きさが１から０に変化する時刻Ｑとが示されている。一本の走査線における表示は、時刻Ｊから特定の時間後に開始し、時刻Ｑよりも特定の時間前に終了する。また、一本の走査線が表示される時間は入力の画像の種類によって規定されているため、表示を開始する時刻が分かれば、走査線中の任意の点（画素）が表示される時刻を特定することができる。
【００８２】
グラフ１４０２では、信号発生部２１４は、時刻Ｊから時刻Ｌまで、パラメーターｋを１として出力している。時刻Ｊから時刻Ｌまでに走査線が表示する領域としては、表示領域のうち左側３分の１の領域である。また、信号発生部２１４は、時刻Ｌから時刻Ｏまで、パラメーターｋを０．２として出力している。時刻Ｌから時刻Ｏまでに走査線が表示する領域としては、表示領域のうち中央３分の１の領域である。また、信号発生部２１４は、時刻Ｏから時刻Ｑまで、パラメーターｋを１として出力している。時刻Ｏから時刻Ｑまでに走査線が表示する領域としては、表示領域のうち右側３分の１の領域である。
【００８３】
図１５は、グラフ１４０２で示したように信号発生部２１４がパラメーターｋを出力した場合の表示画像を示した図である。図示する例では、表示領域左部３分の１の領域１５０１は、入力画像のみが表示されている。また、表示領域中央３分の１の領域１５０２は、入力画像の濃度は薄く、特定パターンの濃度は濃く表示されている。また、表示領域右部３分の１の領域１５０３は、入力画像のみが表示されている。
【００８４】
グラフ１４０３とグラフ１４０４は、グラフ１４０２に示した信号発生部２１４が出力するパラメーターｋの位相を変化させた例を示している。グラフ１４０３では、信号発生部２１４は、時刻Ｊから時刻Ｍまで、パラメーターｋを１として出力している。また、信号発生部２１４は、時刻Ｍから時刻Ｐまで、パラメーターｋを０．２として出力している。また、信号発生部２１４は、時刻Ｐから時刻Ｑまで、パラメーターｋを１として出力している。
【００８５】
グラフ１４０４では、信号発生部２１４は、時刻Ｊから時刻Ｋまで、パラメーターｋを０．２として出力している。また、信号発生部２１４は、時刻Ｋから時刻Ｎまで、パラメーターｋを０．２として出力している。また、信号発生部２１４は、時刻Ｎから時刻Ｑまで、パラメーターｋを１として出力している。
【００８６】
例えば、信号発生部２１４は、グラフ１４０２に示した状態から、グラフ１４０３に示した状態とグラフ１４０４に示した状態とを経由し、再びグラフ１４０２に示した状態となるようにパラメーターｋの位相を数秒程度で一巡するように変化させる。この場合、表示装置２の液晶パネル部１４は、特定パターンの濃度が濃く、入力画像の濃度が薄い部分を、表示領域の中央部から右部にかけて移動し、さらに表示領域の左部から中央部にかけて移動するスクロール表示を行う。また、信号発生部２１４がこの出力を繰り返すことで、表示装置２の液晶パネル部１４は、スクロール表示を繰り返して行うことができる。
【００８７】
このように、分割画像合成部２１が備える各部の動作により、分割画像合成部２１は、特定パターンの濃度が濃く、入力画像の濃度が薄い部分を含んだ画像を表示するための重畳映像信号と同期信号とを出力することができる。また、分割画像合成部２１は、特定パターンの濃度が濃く、入力画像の濃度が薄い部分を移動させて表示するスクロール表示などを行うための重畳映像信号と同期信号とを出力することができる。
【００８８】
これにより、表示装置２が入力画像と特定パターンとを重畳して表示する場合においても、時刻により特定パターンが重畳される領域が変化するため、時刻によって、入力画像を見る者は、入力画像をはっきりと確認することができ、入力画像の一部を特定したい者は、特定パターンが重畳されることにより容易に入力画像の一部を特定することができる。
【００８９】
なお、特定パターンを表示する領域の移動方法、すなわちパラメーターｋの変化のさせ方は上記の説明に留まらず、例えば全体を均一に数秒周期で動かしたり、数秒間に一度間欠的に動かしたりするなど、様々な動かし方が可能である。また、コントローラー２１３は図示せぬ入力部を備え、外部から表示濃度を指定する情報が入力されるようにすることで、操作者はコントローラー２１３を介して信号発生部２１４の動作（出力値であるパラメーターｋの値）を任意に制御し、入力画像と特定パターンの表示濃度を変更できるようにしてもよい。
【００９０】
（第３の実施形態）
以下、図面を参照しながら本発明の第３の実施形態について説明する。本実施形態における表示装置は、第１の実施形態と同様に、入力された信号に、特定パターンの信号を重畳し、重畳した信号に基づいた画像を表示する。第１の実施形態と異なる点として、表示装置は、特定パターンを表示する画素と、この画素の周囲の画素とが表示する入力画像の映像信号に基づいて、特定パターンを表示する色を変化させることを特徴とする。
【００９１】
図１６は本実施形態における表示装置の構成を示したブロック図である。表示装置３は、分割画像合成部３１と、映像信号共通処理部１２と、駆動部１３と、液晶パネル部１４とを備える。分割画像合成部３１は映像信号と同期信号とが入力される。続いて、分割画像合成部３１は特定パターンを生成する。続いて、分割画像合成部３１は生成した特定パターンを表示する画素とその周辺の画素の色レベルに応じて、特定パターンの表示色を変更した特定パターン映像信号を生成する。続いて分割画像合成部３１は、入力された映像信号に、特定パターン映像信号を重畳した重畳映像信号を出力する。また、分割画像合成部３１は入力された同期信号を出力する。映像信号共通処理部１２と、駆動部１３と、液晶パネル部１４の動作は、第１の実施形態の各部の動作と同様である。表示装置３が備える各部の動作により、表示装置３は、分割画像合成部３１が出力した重畳映像信号と同期信号とに基づいて表示画像を表示する。
【００９２】
次に、分割画像合成部３１の構成について図１７を参照して説明する。図１７は本実施形態における分割画像合成部３１の構成を示したブロック図である。分割画像合成部３１は、入力部３１０と、アナログ／デジタル変換部３１１Ｒ，３１１Ｇ，３１１Ｂと、遅延回路３１２Ｒ，３１２Ｇ，３１２Ｂと、演算部３１３Ｒ，３１３Ｇ，３１３Ｂと、タイミング生成部３１４と、パターン生成部３１５と、パターン映像信号二値化部３１６と、出力調整部３１７Ｒ，３１７Ｇ，３１７Ｂと、デジタルマルチプレクサー３１８Ｒ，３１８Ｇ，３１８Ｂと、デジタル／アナログ変換部３１９Ｒ，３１９Ｇ，３１９Ｂと、出力部３２０とを備える。
【００９３】
アナログ／デジタル変換部３１１Ｒと、遅延回路３１２Ｒと、演算部３１３Ｒと、出力調整部３１７Ｒと、デジタルマルチプレクサー３１８Ｒと、デジタル／アナログ変換部３１９Ｒとは、赤色の映像信号の処理を行う。アナログ／デジタル変換部３１１Ｇと、遅延回路３１２Ｇと、演算部３１３Ｇと、出力調整部３１７Ｇと、デジタルマルチプレクサー３１８Ｇと、デジタル／アナログ変換部３１９Ｇとは、緑色の映像信号の処理を行う。アナログ／デジタル変換部３１１Ｂと、遅延回路３１２Ｂと、演算部３１３Ｂと、出力調整部３１７Ｂと、デジタルマルチプレクサー３１８Ｂと、デジタル／アナログ変換部３１９Ｂとは、青色の映像信号の処理を行う。
【００９４】
入力部３１０は映像信号と同期信号とが入力される。続いて、入力部３１０は、入力された映像信号に含まれる赤色の映像信号Ｒをアナログ／デジタル変換部３１１Ｒに対して出力し、緑色の映像信号Ｇをアナログ／デジタル変換部３１１Ｇに対して出力し、青色の映像信号Ｂをアナログ／デジタル変換部３１１Ｂに対して出力する。また、入力部３１０は、入力された同期信号をタイミング生成部３１４と出力部３２０とに対して出力する。
【００９５】
アナログ／デジタル変換部３１１Ｒは、入力部３１０が出力した映像信号Ｒが入力され、この映像信号Ｒをデジタル映像信号Ｒに変換する。続いて、アナログ／デジタル変換部３１１Ｒは、デジタル映像信号Ｒを遅延回路３１２Ｒに出力する。なお、アナログ／デジタル変換部３１１Ｇ，３１１Ｂの動作はアナログ／デジタル変換部３１１Ｒの動作と同様である。
【００９６】
遅延回路３１２Ｒは、デジタル映像信号Ｒをデジタルマルチプレクサー３１８Ｒに対して出力する。また、遅延回路３１２Ｒは、デジタルマルチプレクサー３１８Ｒに対して出力したデジタル映像信号Ｒと、このデジタル映像信号Ｒの周囲８画素のデジタル映像信号Ｒとを演算部３１３Ｒに対して出力する。遅延回路３１２Ｇ，３１２Ｂも遅延回路３１２Ｒと同様の処理を行う。遅延回路３１２Ｒの詳細な構成については後述する。
【００９７】
演算部３１３Ｒは、入力された９画素のデジタル映像信号Ｒに基づいて、パターン映像信号Ｒのレベルを調整する調整パラメーターＲを算出し、出力調整部３１７Ｒに出力する。調整パラメーターの算出方法については後述する。演算部３１３Ｇ，３１３Ｂの動作は演算部３１３Ｒの動作と同様である。
【００９８】
タイミング生成部３１４の動作は、第１の実施形態のタイミング生成部１１３の動作と同様である。タイミング生成部３１４は、生成したタイミング信号をパターン生成部３１５に対して出力する。
【００９９】
パターン生成部３１５の動作は、第１の実施形態のパターン生成部１１４の動作と同様である。パターン生成部３１５は、生成したパターン映像信号をパターン映像信号二値化部３１６に対して出力する。また、パターン生成部３１５は、生成したパターン映像信号の赤色成分（パターン映像信号Ｒ）を出力調整部３１７Ｒに対して出力し、パターン映像信号の緑色成分（パターン映像信号Ｇ）を出力調整部３１７Ｇに対して出力し、パターン映像信号の青色成分（パターン映像信号Ｂ）を出力調整部３１７Ｂに対して出力する。
【０１００】
パターン映像信号二値化部３１６の動作は、第１の実施形態のパターン映像信号二値化部１１５の動作と同様である。パターン映像信号二値化部３１６は、パターン生成部３１５が出力したパターン映像信号が入力され、予め定めた閾値（スレッシュホールド）とパターン映像信号の大きさとを比較した結果に基づいて、「Ｌ」または「Ｈ」の信号をデジタルマルチプレクサー３１８Ｒ，３１８Ｇ，３１８Ｂに対して出力する。例えば、パターン映像信号の最大振幅が１Ｖｐ−ｐであり黒レベルが直流の０Ｖである場合は閾値を０．５Ｖとする。この場合、パターン映像信号二値化部３１６は、入力されたパターン映像信号が０．５Ｖ以上の信号であれば「Ｈ」の信号を出力し、入力されたパターン映像信号が０．５Ｖ未満の信号であれば「Ｌ」の信号を出力する。
【０１０１】
出力調整部３１７Ｒは、パターン生成部３１５が出力したパターン映像信号Ｒと、演算部３１３Ｒが算出した調整パラメーターＲとが入力される。続いて、出力調整部３１７Ｒは、調整パラメーターＲに基づいて、パターン映像信号Ｒのレベルを調整し、調整後のパターン映像信号Ｒをデジタルマルチプレクサー３１８Ｒに対して出力する。パターン映像信号Ｒのレベルを調整する方法については後述する。出力調整部３１７Ｇ，３１７Ｂの動作は、出力調整部３１７Ｒの動作と同様である。
【０１０２】
デジタルマルチプレクサー３１８Ｒは、遅延回路３１２Ｒが出力したデジタル映像信号Ｒと、出力調整部３１７Ｒが出力したパターン映像信号Ｒと、パターン映像信号二値化部３１６が出力した「Ｌ」または「Ｈ」の信号が入力される。続いて、デジタルマルチプレクサー３１８Ｒは、パターン映像信号二値化部３１６から入力された信号が「Ｌ」の場合、遅延回路３１２Ｒから入力されたデジタル映像信号Ｒをデジタル重畳映像信号Ｒとして出力する。また、デジタルマルチプレクサー３１８Ｒは、パターン映像信号二値化部３１６から入力された信号が「Ｈ」の場合、出力調整部３１７Ｒから入力されたパターン映像信号Ｒをデジタル重畳映像信号Ｒとして出力する。
【０１０３】
すなわち、デジタルマルチプレクサー３１８Ｒは、パターン映像信号二値化部３１６の出力を選択制御信号として用い、遅延回路３１２Ｒが出力したデジタル映像信号Ｒと出力調整部３１７Ｒが出力した映像信号のいずれかをデジタル重畳映像信号Ｒとして出力する。デジタルマルチプレクサー３１８Ｇ，３１８Ｂの動作は、デジタルマルチプレクサー３１８Ｒの動作と同様である。
【０１０４】
デジタル／アナログ変換部３１９Ｒは、デジタルマルチプレクサー３１８Ｒが出力したデジタル重畳映像信号Ｒが入力され、このデジタル重畳映像信号Ｒを重畳映像信号Ｒに変換する。重畳映像信号Ｒはアナログ信号である。続いて、デジタル／アナログ変換部３１９Ｒは、重畳映像信号Ｒを出力部３２０に対して出力する。なお、デジタル／アナログ変換部３１９Ｇ，３１９Ｂの動作はデジタル／アナログ変換部３１９Ｒの動作と同様である。
【０１０５】
出力部３２０はデジタル／アナログ変換部３１９Ｒ，３１９Ｇ，３１９Ｂが出力した重畳映像信号Ｒ，Ｇ，Ｂと、入力部３１０が出力した同期信号とを映像信号共通処理部１２に対して出力する。
【０１０６】
これにより、分割画像合成部３１は、重畳映像信号Ｒ，Ｇ，Ｂと同期信号とを映像信号共通処理部１２に対して出力することができる。
【０１０７】
次に、遅延回路３１２Ｒの構成について説明する。図１８は、遅延回路３１２Ｒの構成を示したブロック図である。遅延回路３１２Ｒは、ラインメモリー３１２１，３１２２と、遅延フリップフロップ（Ｄｅｌａｙ  Ｆｌｉｐ−Ｆｌｏｐ）３１２３〜３１２８とを備える。ラインメモリー３１２１，３１２２は、入力されたデジタル映像信号Ｒを、液晶パネル部１４が１ラインの走査線全体を表示する時間だけ遅延させて出力する。この遅延時間を遅延時間Ａとする。遅延フリップフロップ３１２６〜３１２８は、入力されたデジタル映像信号Ｒを、液晶パネル部１４が走査線のうち１画素を表示する時間だけ遅延させて出力する。この遅延時間を遅延時間Ｂとする。
【０１０８】
遅延回路３１２Ｒに入力されたデジタル映像信号Ｒは、演算部３１３Ｒに出力されるとともに、ラインメモリー３１２１と遅延フリップフロップ３１２３に入力される。ラインメモリー３１２１は、入力を受け付けてから遅延時間Ａ経過後、入力されたデジタル映像信号Ｒをラインメモリー３１２２と、遅延フリップフロップ３１２４と、演算部３１３Ｒとに出力する。ラインメモリー３１２２は、入力を受け付けてから遅延時間Ａ経過後、入力されたデジタル映像信号Ｒを遅延フリップフロップ３１２５と演算部３１３Ｒとに出力する。遅延フリップフロップ３１２３は、入力を受け付けてから遅延時間Ｂ経過後、入力されたデジタル映像信号Ｒを遅延フリップフロップ３１２６と演算部３１３Ｒとに出力する。
【０１０９】
遅延フリップフロップ３１２４は、入力を受け付けてから遅延時間Ｂ経過後、入力されたデジタル映像信号Ｒをデジタルマルチプレクサー３１８Ｒと、遅延フリップフロップ３１２７と、演算部３１３Ｒとに出力する。遅延フリップフロップ３１２５は、遅延時間Ｂ経過後、入力されたデジタル映像信号Ｒを遅延フリップフロップ３１２８と演算部３１３Ｒとに出力する。遅延フリップフロップ３１２６〜３１２８は、入力を受け付けてから遅延時間Ｂ経過後、入力されたデジタル映像信号Ｒを演算部３１３Ｒに出力する。
【０１１０】
図１８と図１９とを参照して、デジタル映像信号Ｒｄ１１〜ｄ１３，ｄ２１〜ｄ２３，ｄ３１〜ｄ３３の入力を順に受け付け、デジタル映像信号Ｒｄ３３の入力された時点での遅延回路３１２Ｒの具体的な動作について説明する。
【０１１１】
図１９は、デジタル映像信号Ｒｄ１１〜ｄ１３，ｄ２１〜ｄ２３，ｄ３１〜ｄ３３と、各デジタル映像信号Ｒに基づいた映像を表示する画素との関係を示した図である。図示する例では、１画素を１つの丸で示しており、画素１８０１〜１８１６を示している。これは、液晶パネル部１４が備える画素のうち、横方向に４画素、縦方向に４画素の領域を示している。デジタル映像信号Ｒｄ１１は画素１８０１の表示内容を指定する信号である。デジタル映像信号Ｒｄ１２は画素１８０２の表示内容を指定する信号である。他のデジタル映像信号Ｒｄ１３〜ｄ４４については図示する通りである。図より、画素１８０６の周囲８画素は、画素１８０１〜１８０３，１８０５，１８０７，１８０９〜１８１１である。
【０１１２】
また、図１８には、デジタル映像信号Ｒｄ１１〜ｄ１３，ｄ２１〜ｄ２３，ｄ３１〜ｄ３３を順に入力され、デジタル映像信号Ｒｄ３３が入力された時点における、遅延回路３１２Ｒの出力値を示している。図示する例では、遅延回路３１２Ｒは、デジタル映像信号Ｒｄ３３を演算部３１３Ｒに対して出力する。また、ラインメモリー３１２１はデジタル映像信号Ｒｄ２３を演算部３１３Ｒに対して出力する。また、ラインメモリー３１２２はデジタル映像信号Ｒｄ１３を演算部３１３Ｒに対して出力する。遅延フリップフロップ３１２３〜３１２８が出力するデジタル映像信号Ｒは図示する通りである。
【０１１３】
すなわち、デジタル映像信号Ｒｄ３３が入力された時点では、遅延回路３１２Ｒは、デジタルマルチプレクサー３１８Ｒに対してデジタル映像信号Ｒｄ２２を出力し、演算部３１３Ｒに対してデジタル映像信号Ｒｄ１１〜ｄ１３，ｄ２１〜ｄ２３，ｄ３１〜ｄ３３を出力する。すなわち、遅延回路３１２Ｒは、デジタル映像信号Ｒｄ２２と、デジタル映像信号Ｒｄ２２の周囲８画素のデジタル映像信号Ｒｄ１１〜ｄ１３，ｄ２１，ｄ２３，ｄ３１〜ｄ３３とを演算部３１３Ｒに出力する。
【０１１４】
このように、遅延回路３１２Ｒは、ある画素の表示を指定するデジタル映像信号Ｒをデジタルマルチプレクサー３１８Ｒに対して出力し、この画素と、この画素の周囲８画素との表示を指定するデジタル映像信号Ｒを演算部３１３Ｒに出力することができる。なお、遅延回路３１２Ｇ，３１２Ｂの機能は遅延回路３１２Ｒの機能と同様である。
【０１１５】
次に、演算部３１３Ｒの構成について説明する。図２０は、演算部３１３Ｒの構成を示したブロック図である。演算部３１３Ｒは、インターフェース部３１３１と、ＣＰＵ（Ｃｅｎｔｒａｌ  Ｐｒｏｃｅｓｓｉｎｇ  Ｕｎｉｔ、中央演算処理装置）３１３２と、ＲＡＭ（Ｒａｎｄｏｍ  Ａｃｃｅｓｓ  Ｍｅｍｏｒｙ、ランダムアクセスメモリー）３１３３と、ＲＯＭ（Ｒｅａｄ  Ｏｎｌｙ  Ｍｅｍｏｒｙ、リードオンリーメモリー）３１３４と、バス３１３５とを備える。インターフェース部３１３１と、ＣＰＵ３１３２と、ＲＡＭ３１３３と、ＲＯＭ３１３４とは、バス３１３５に接続しており、バス３１３５を介して互いにデータの入出力を行うことができる。
【０１１６】
インターフェース部３１３１は、遅延回路３１２Ｒおよび出力調整部３１７Ｒとデータの入出力を行う。ＣＰＵ３１３２は、演算部３１３Ｒの制御を行う。ＲＡＭ３１３３は、ＣＰＵ３１３２が使用するデータを一時記憶する。ＲＯＭ３１３３は、ＣＰＵ３１３２が読み出して実行するプログラムを記憶する。バス３１３５は、演算部３１３Ｒが備える各部がデータを交換するための経路である。
【０１１７】
次に、演算部３１３Ｒが行う処理の手順について説明する。図２１は、演算部３１３Ｒが調整パラメーターＲを生成する手順を示したフローチャートである。以下、図１９に示したデジタル映像信号Ｒｄ１１〜ｄ３３が入力され、デジタル映像信号Ｒｄ２２の調整パラメーターＲを生成する例について説明する。
【０１１８】
（ステップＳ２１０１）ＣＰＵ３１３２は、デジタル映像信号Ｒの最大規格値Ｖｉを設定する。その後、ステップＳ２１０２に進む。最大規格値Ｖｉは、通常、アナログ値で０．７Ｖまたは１Ｖに相当するデジタル値である。
（ステップＳ２１０２）ＣＰＵ３１３２は、インターフェース部３１３１が入力されたデジタル映像信号Ｒｄ１１〜ｄ３３の和Ｖｔを算出する。その後、ステップＳ２１０３に進む。なお、（１）式はデジタル信号ｄ１１からｄ３３の和Ｖｔを算出する式である。
【０１１９】
【数１】
2010160344.tif 000003
【０１２０】
（ステップＳ２１０３）ＣＰＵ３１３２は、ステップＳ２１０２で算出したデジタル映像信号Ｒｄ１１〜ｄ３３の和Ｖｔをデジタル映像信号Ｒの個数９で割り、デジタル映像信号Ｒｄ１１〜ｄ３３の平均値Ｖａｖｅを算出する。その後、ステップＳ２１０４に進む。
【０１２１】
（ステップＳ２１０４）ＣＰＵ３１３２は、最大規格値Ｖｉの中間値（Ｖｉ／２）を算出する。続いて、ＣＰＵ３１３２は、ステップＳ２１０３で算出したＶａｖｅが中間値（Ｖｉ／２）より大きいか否か判断する。ＣＰＵ３１３２が、Ｖａｖｅは中間値（Ｖｉ／２）より大きいと判断した場合はステップＳ２１０５に進み、それ以外はステップＳ２１０６に進む。
【０１２２】
（ステップＳ２１０５）ＣＰＵ３１３２は調整パラメーターＲを「通常」と設定する。その後、ステップＳ２１０７に進む。
（ステップＳ２１０６）ＣＰＵ３１３２は調整パラメーターを「反転」と設定する。その後、ステップＳ２１０７に進む。
【０１２３】
（ステップＳ２１０７）インターフェース部３１３１Ｒは、ステップＳ２１０５またはステップＳ２１０６でＣＰＵ３１３２が設定した調整パラメーターＲを出力調整部３１７Ｒに対して出力する。その後、処理を終了する。
【０１２４】
次に、出力調整部３１７Ｒが、パターン映像信号Ｒのレベルを調整する方法について説明する。出力調整部３１７Ｒは、パターン生成部３１５が出力したパターン映像信号Ｒと、演算部３１３Ｒが出力した調整パラメーターＲとが入力される。続いて、出力調整部３１７Ｒは、調整パラメーターＲに基づいてパターン映像信号Ｒのレベルを調整し、デジタルマルチプレクサー３１８Ｒに対して出力する。具体的には、出力調整部３１７Ｒは、パターン映像信号Ｒが「通常」である場合はパターン映像信号Ｒをそのままデジタルマルチプレクサー３１８Ｒに対して出力し、パターン映像信号Ｒが「反転」である場合はパターン映像信号Ｒのレベルを反転してデジタルマルチプレクサー３１８Ｒに対して出力する。
【０１２５】
なお、パターン映像信号が白色の信号である場合、すなわち、パターン映像信号Ｒが白色に含まれる赤色成分（パターン映像信号Ｒがが取りうる最大値）であれば、パターン映像信号Ｒのレベルを反転させた信号は黒色の信号となる。また、パターン映像信号が白色以外である場合は、パターン映像信号Ｒが取りうる最大値（８ビットの場合２５４）からパターン映像信号Ｒを引いた信号をパターン映像信号Ｒのレベルを反転した信号となる。
【０１２６】
図２２は、遅延回路３１２Ｒに入力されるデジタル映像信号Ｒの入力タイミングと、デジタルマルチプレクサー３１８Ｒに入力されるデジタル映像信号Ｒと、パターン映像信号Ｒと、パターン映像信号二値化部３１６が出力する信号の入力タイミングと、デジタルマルチプレクサー３１８Ｒが出力するデジタル重畳映像信号Ｒの出力タイミングとの関係を示したタイミングチャートである。このタイミングチャートは、図１９に示した特定パターンを重畳した場合のタイミングを示している。
【０１２７】
タイミングチャート２２０１は、遅延回路３１２Ｒに入力されるデジタル映像信号Ｒｄ１１〜ｄ３３の入力タイミングを示している。デジタル映像信号Ｒｄ１１〜ｄ１ｎは、一段目の走査線を表示するためのデジタル映像信号である。１段の走査線を表示するために必要な時間を１Ｈとする。
【０１２８】
タイミングチャート２２０２は、デジタルマルチプレクサー３１８Ｒに入力されるデジタル映像信号Ｒｄ１１〜ｄ３３の入力タイミングを示している。タイミングチャート２２０１，２２０２より、デジタルマルチプレクサー３１８Ｒに入力されるデジタル映像信号Ｒの入力タイミングは、遅延回路３１２Ｒに入力されたデジタル映像信号Ｒの入力タイミングから１Ｈと１画素分遅延していることが示される。
【０１２９】
タイミングチャート２２０３は、デジタルマルチプレクサー３１８Ｒに入力されるパターン映像信号Ｒの入力値と入力タイミングを示している。タイミングチャート２２０２，２２０３より、デジタルマルチプレクサー３１８Ｒは、デジタル映像信号Ｒｄ２２〜ｄ２４，ｄ３２が入力される時間に、レベルｐ１のパターン映像信号Ｒが入力されていることが分かる。すなわち、図１９において、デジタルマルチプレクサー３１８Ｒは、黒色で表示されている画素（特定パターンを表示する画素）を表示するデジタル映像信号Ｒｄ２２〜ｄ２４，ｄ３２が入力された時間に、レベルｐ１のパターン映像信号Ｒが入力されることが示される。
【０１３０】
タイミングチャート２２０４は、パターン映像信号二値化部３１６が出力し、デジタルマルチプレクサー３１８Ｒに入力される信号の入力タイミングを示している。タイミングチャート２２０２と２２０４より、デジタルマルチプレクサー３１８Ｒは、デジタル映像信号Ｒｄ２２〜ｄ２４，ｄ３２が入力される時間に、パターン映像信号二値化部３１６が出力した「Ｈ」の信号が入力されていることが分かる。すなわち、図１９において、デジタルマルチプレクサー３１８Ｒは、黒色で表示されている画素（特定パターンを表示する画素）が表示するデジタル映像信号Ｒｄ２２〜ｄ２４，ｄ３２が入力される時間に、パターン映像信号二値化部３１６が出力した「Ｈ」の信号が入力されていることが示される。
【０１３１】
タイミングチャート２２０５は、デジタルマルチプレクサー３１８Ｒが出力するデジタル重畳映像信号Ｒの出力値および出力タイミングを示している。デジタルマルチプレクサー３１８Ｒは、先述したとおり、パターン映像信号二値化部３１６が出力した「Ｌ」または「Ｈ」に基づいて出力する値を決定する。タイミングチャート２２０２〜２２０５より、デジタルマルチプレクサー３１８Ｒは、パターン映像信号二値化部３１６から入力された値が「Ｌ」である場合、デジタル映像信号Ｒをデジタル重畳映像信号Ｒとして出力し、パターン映像信号二値化部３１６から入力された値が「Ｈ」である場合、パターン映像信号Ｒをデジタル重畳映像信号Ｒとして出力することが示される。
【０１３２】
タイミングチャート２２０６は、デジタルマルチプレクサー３１８Ｒに入力されるパターン映像信号Ｒの入力値と入力タイミングを示している。タイミングチャート２２０６では、デジタル映像信号Ｒｄ２２を表示する画素とその周辺の画素の映像が明るい場合を示す。この場合、デジタルマルチプレクサー３１８Ｒにデジタル映像信号Ｒｄ２２が入力される時間（タイミングチャート２２０２参照）に、タイミングチャート２２０６に示されるパターン映像信号Ｒは反転した値となる。
【０１３３】
タイミングチャート２２０７は、デジタルマルチプレクサー３１８Ｒが出力するデジタル重畳映像信号Ｒの出力値および出力タイミングを示している。タイミングチャート２２０７は、タイミングチャート２２０６に示したデジタル映像信号Ｒｄ２２を表示する画素とその周辺の画素の映像が明るい場合のデジタル重畳映像信号Ｒの出力信号を示す。この場合、デジタルマルチプレクサー３１８Ｒは、デジタル映像信号Ｒｄ２２が入力される時間（タイミングチャート２２０２参照）に、タイミングチャート２２０７に示されるすように、パターン映像信号Ｒを反転した値をデジタル重畳映像信号Ｒとして出力する。
【０１３４】
上述したとおり、特定パターンの表示を行う画素および周辺画素のデジタル映像信号Ｒのレベルが最大規格値Ｖｉの中間レベルより高い場合は、出力調整部３１７Ｒはパターン映像信号Ｒのレベルを反転して出力する。また、特定パターンの表示を行う画素および周辺画素のデジタル映像信号Ｒのレベルが最大規格値Ｖｉの中間レベル以下の場合は、出力調整部３１７Ｒはパターン映像信号Ｒのレベルを調整せずに出力する。出力調整部３１７Ｇ，Ｂも同様である。
【０１３５】
このように、本実施形態では、赤色の映像信号と、緑色の映像信号と、青色の映像信号のそれぞれにおいてパターン映像信号Ｒ，Ｇ，Ｂのレベルの調整を行っている。例えば、赤色の映像信号のレベルが高く、緑色と青色の映像信号のレベルが低い場合、赤色のパターン映像信号Ｒのレベルのみが反転され、緑色と青色のパターン映像信号Ｇ，Ｂのレベルは反転されない。この場合、表示装置３は特定パターンを赤色の補色であるシアンに近い色で表示するため、表示装置３が表示する画像は、特定パターンをはっきりと認識できるものになる。
【０１３６】
また、図２２におけるタイミングチャート２２０８は、パターン映像信号二値化部３１６が出力する信号の出力タイミングを示し、この信号によりデジタルマルチプレクサー３１８Ｒの出力が切り換えられる。タイミングチャート２２０８では、入力される特定パターンによって示されるパターンの位置を参照し、表示する画素の位置と対比させて、上下左右の４方向で隣接する画素の位置に、入力された特定パターン映像信号が示すパターンが存在する場合にもパターン表示を示す信号を出力する場合を示す。
タイミングチャート２２０８に示される信号には、タイミングチャート２２０４に示したパターン映像信号二値化部３１６が「Ｈ」を出力するタイミングに加えて、１本の走査線が表示する時間１Ｈだけ早く或いは遅くした時間と、一画素が表示に必要な時間だけ早く或いは遅くした時間についてもパターン映像信号二値化部３１６Ｒが「Ｈ」を出力するタイミングを示している。図示する例では、デジタルマルチプレクサー３１８Ｒがデジタル映像信号Ｒｄ１２，ｄ１３，ｄ２１，ｄ３１，ｄ３３が入力される時間（タイミングチャート２２０５参照）において、パターン映像信号二値化部３１６Ｒの出力を「Ｈ」としている。
【０１３７】
タイミングチャート２２０９は、デジタルマルチプレクサー３１８Ｒが出力する値とタイミングとを示す。タイミングチャート２２０９は、パターン映像信号二値化部３１６Ｒがタイミングチャート２２０８に示した出力信号を出力する場合におけるデジタルマルチプレクサー３１８Ｒが出力する信号の遷移を示す。
【０１３８】
図示する例では、デジタルマルチプレクサー３１８Ｒは、デジタル映像信号Ｒｄ１２，ｄ１３，ｄ２１，ｄ３１，ｄ３３が入力される時間において、レベルｐｂのパターン映像信号Ｒを出力している。これにより、特定パターンの周辺の画素の出力をレベルｐｂとすることができるため、特定パターンの周辺に輪郭を付けて表示することができる。
【０１３９】
なお、演算部３１３Ｒの処理については、図２１に示したフローチャートを用いてソフトウェアによって処理を行う例について説明したが、ハードウェアの機能を用いて演算部３１３Ｒの処理を実現してもよい。
【０１４０】
（第４の実施形態）
以下、本発明の第３の実施形態について説明する。本実施形態における表示装置は、第１の実施形態と同様に、入力された信号に、特定パターンの信号を重畳し、重畳した信号に基づいた画像を表示する。第１の実施形態と異なる点として、表示装置は、入力画像に基づいて特定パターンを生成することを特徴とする。
【０１４１】
図２３は、図１に示した入力画像に、この入力画像に基づいて生成した特定パターンを重畳した画像である。図示する例では、文字または図形の固まりを個々の分割領域２３０１〜２３０５として表示している。具体的には、「プレゼンテーション」が表示されている領域２３０１を「Ａ」としている。他の領域２３０２〜２３０５については図示する通り、「Ｂ」〜「Ｅ」としている。
【０１４２】
本実施形態の表示装置の構成は、図１に示した第１の実施形態の表示装置１と同様の構成である。第１の実施形態の表示装置１と異なる点は、パターン生成部の構成と、パターン生成部が受け付ける入力値である。図２４は、本実施形態の分割画像合成部１１の構成を示したブロック図である。分割画像合成部１１は、入力部１１０と、輝度信号変換部１１１と、輝度信号二値化部１１２と、タイミング生成部１１３と、パターン生成部４１４と、パターン映像信号二値化部１１５と、排他的論理和演算回路１１６と、レベル調整部１１７と、マルチプレクサー１１８と、出力部１１９とを備える。輝度信号変換部１１１と、輝度信号二値化部１１２と、タイミング生成部１１３と、パターン映像信号二値化部１１５と、排他的論理和演算回路１１６と、レベル調整部１１７と、マルチプレクサー１１８と、出力部１１９の動作は第１の実施形態の各部の動作と同様である。
【０１４３】
入力部１１０は映像信号と同期信号とが入力される。また、入力部１１０は、入力された映像信号を輝度信号変換部１１１と、マルチプレクサー１１８と、パターン生成部４１４とに対して出力する。また、入力部１１０は、入力された同期信号をタイミング生成部１１３と出力部１１９とに対して出力する。
【０１４４】
パターン生成部４１４の構成は、図２０に示した演算部３１３Ｒと同様の構成であり、インターフェース部３１３１と、ＣＰＵ３１３２と、ＲＡＭ３１３３と、ＲＯＭ３１３４と、バス３１３５とを備える。
【０１４５】
図２５は、パターン生成部４１４が特定パターンを生成し、パターン映像信号を出力する手順を示したフローチャートである。
（ステップＳ２５０１）インターフェース部３１３１は、入力部１１０が出力した映像信号が入力される。続いて、ＣＰＵ３１３２は、インターフェース部３１３１に入力された映像信号をＲＡＭに割り付けられた記憶領域に記録し、記憶された情報に基づいて、映像信号を構成する文字や画像の輪郭を抽出する。その後、ステップＳ２５０２に進む。なお、文字や画像の輪郭を抽出する方法は問わないが、例えば、図１８に示したような遅延回路を用いて、係数演算する方法が考えられる。
【０１４６】
（ステップＳ２５０２）ＣＰＵ３１３２は、ステップＳ２５０１で抽出した文字や画像の輪郭を膨張させ、重なる領域が存在した場合、重なる領域を１つの輪郭とする。続いて、ステップＳ２５０３に進む。
（ステップＳ２５０３）ＣＰＵ３１３２は、ステップＳ２５０２で膨張させた輪郭を、文字または画像を含むことができる最小の輪郭となるように収縮させる。その後、ステップＳ２５０４に進む。
【０１４７】
（ステップＳ２５０４）ＣＰＵ３１３２は、ステップＳ２５０３で収縮させた輪郭を特定パターンとする。その特定パターンについてそれぞれを一意に特定することができるようにラベル（文字）を付けされる。図２３に示す特定パターンの例では、５つの輪郭によって示される特定パターンが示されており、特定パターンに対応付けされた「Ａ」〜「Ｅ」のラベルが付けられている。
【０１４８】
（ステップＳ２５０５）インターフェース部３１３１は、タイミング生成部１１３が出力したタイミング信号が入力される。続いて、ＣＰＵ３１３２は、インターフェース部３１３１に入力されたタイミング信号に同期して、ステップＳ２５０４で生成した特定パターンに基づいて生成しパターン映像信号を出力可能な情報に加工する。続いて、インターフェース部３１３１は、ＣＰＵ３１３２が生成したパターン映像信号をタイミング信号に同期させて出力する。その後、処理を終了する。
【０１４９】
なお、特定パターンを生成する方法は、上記の手順に限らず、公知の画像処理技術を用いてもよい。
【０１５０】
パターン生成部４１４が出力したパターン映像信号を重畳した重畳映像信号を出力する方法、および、この重畳映像信号に基づいた画像を表示装置が表示する方法は、第１の実施形態と同様の方法である。
【０１５１】
上述したとおり、表示装置は、入力画像に基づいて特定パターンを生成することができ、この特定パターンを重畳した表示画像を表示することができる。これにより、入力画像の文字または図形の固まりに合致した特定パターンが表示画像に表示されるため、この画像を参照しながら説明を行う発表者は、文字または図形の固まり毎に領域を指し示すことができる。
【０１５２】
なお、本実施形態では、パターン生成部４１４を第１の実施形態の表示装置１に用いた場合について説明したが、入力部に入力された映像信号をパターン生成部に入力する構成とすることで、本実施形態のパターン生成部４１４を第２の実施形態および第３の実施形態の表示装置に用いることも可能である。
【０１５３】
以上、図面を参照して本発明の第１の実施形態〜第４の実施形態について詳しく説明してきたが、具体的な構成は上述のものに限られることはなく、この発明の要旨を逸脱しない範囲内において様々な設計変更等をすることが可能である。
【０１５４】
例えば、第２〜第４の実施形態の表示装置は液晶ディスプレイを用いて説明したが、第１の実施形態と同様に、表示装置は、プロジェクタなど、映像信号と同期信号とが入力されて画像を表示する装置でもよい。また、表示装置内に分割画像合成部を備えた構成について説明したが、図９に示すように、表示装置の外部に分割画像合成部を備えた表示システムとしてもよい。
【符号の説明】
【０１５５】
１，２，３，９２…表示装置、１１，２１，３１，９１…分割画像合成部、１２…映像信号共通処理部、１３…駆動部、１４…液晶パネル部、１１０，２１０，３１０…入力部、１１１…輝度信号変換部、１１２…輝度信号二値化部、１１３，２１１，３１４…タイミング生成部、１１４，２１２，３１５，４１４…パターン生成部、１１５，３１６…パターン映像信号二値化部、１１６…排他的論理和演算回路、１１７…レベル調整部、１１８…マルチプレクサー、１１９，２１９，３２０…出力部、２１３…コントローラー、２１４…信号発生部、２１５…レベル調整部、２１６，２１７…ゲイン可変増幅器、２１８…混合回路、３１１Ｒ，３１１Ｇ，３１１Ｂ…アナログ／デジタル変換部、３１２Ｒ，３１２Ｇ，３１２Ｂ…遅延回路、３１３Ｒ，３１３Ｇ，３１３Ｂ…演算部、３１７Ｒ，３１７Ｇ，３１７Ｂ…出力調整部、３１８Ｒ，３１８Ｇ，３１８Ｂ…デジタルマルチプレクサー、３１９Ｒ，３１９Ｇ，３１９Ｂ…デジタル／アナログ変換部、１１４１…パターンデータ生成部、１１４２…キャラクタデータ生成部、１１４３…合成部、３１２１，３１２２…ラインメモリー、３１２３〜３１２８…遅延フリップフロップ、３１３１…インターフェース部、３１３２…ＣＰＵ、３１３３…ＲＡＭ、３１３４…ＲＯＭ、３１３５…バス
【図１】
2010160344.tif 000004
【図２】
2010160344.tif 000005
【図３】
2010160344.tif 000006
【図４】
2010160344.tif 000007
【図５】
2010160344.tif 000008
【図６】
2010160344.tif 000009
【図７】
2010160344.tif 000010
【図８】
2010160344.tif 000011
【図９】
2010160344.tif 000012
【図１１】
2010160344.tif 000013
【図１２】
2010160344.tif 000014
【図１３】
2010160344.tif 000015
【図１４】
2010160344.tif 000016
【図１６】
2010160344.tif 000017
【図１７】
2010160344.tif 000018
【図１８】
2010160344.tif 000019
【図１９】
2010160344.tif 000020
【図２０】
2010160344.tif 000021
【図２１】
2010160344.tif 000022
【図２２】
2010160344.tif 000023
【図２３】
2010160344.tif 000024
【図２４】
2010160344.tif 000025
【図２５】
2010160344.tif 000026
【図１０】
2010160344.tif 000027
【図１５】
2010160344.tif 000028